(57)【要約】【課題】複数の処理系列を受け持つ周辺機器の特定の処理系列を起動するためにユーザに要求される操作を軽減する。【解決手段】周辺機器起動プログラムは、複数の処理系列を受け持つ予め決められた周辺機器に対応するアイコンを表示するアイコン表示手段と、前記アイコンが表示される領域を終点とするファイルのドラッグが発生すると、前記複数の処理系列のメニューを表示するメニュー表示手段と、前記ファイルを処理対象として、選択された前記複数の処理系列の１つを起動する起動手段と、してコンピュータを機能させる。【選択図】図５
2010244099.tif 000002
【特許請求の範囲】
【請求項１】
複数の処理系列を受け持つ予め決められた周辺機器に対応するアイコンを表示するアイコン表示手段と、
前記アイコンが表示される領域を終点とするファイルのドラッグが発生すると、前記複数の処理系列のメニューを表示するメニュー表示手段と、
前記ファイルを処理対象として、選択された前記複数の処理系列の１つ以上を起動する起動手段と、
してコンピュータを機能させる周辺機器起動プログラム。
【請求項２】
前記起動手段は、前記メニューが表示される領域において前記ファイルのドロップが発生すると、ドロップされた前記ファイルを処理対象として、ドロップ位置に表示された前記複数の処理系列の１つを起動する、
請求項１に記載の周辺機器起動プログラム。
【請求項３】
前記メニューは、前記複数の処理系列のそれぞれに対応する互いに異なる複数の部分が前記複数の処理系列のそれぞれを選択するための標識として機能する前記周辺機器の外観図形である、
請求項１又は２に記載の周辺機器起動プログラム。
【請求項４】
請求項１から３のいずれか一項に記載の周辺機器起動プログラムが記憶された記憶媒体。
【請求項５】
複数の処理系列を受け持つ予め決められた周辺機器に対応するアイコンを表示するアイコン表示手段と、
前記アイコンが表示される領域を終点とするファイルのドラッグが発生すると、前記複数の処理系列のメニューを表示するメニュー表示手段と、
前記ファイルを処理対象として、選択された前記複数の処理系列の１つ以上を起動する起動手段と、
を備える周辺機器起動装置。
【発明の詳細な説明】
【技術分野】
【０００１】
本発明は周辺機器の起動に関し、特に複数の処理系列を受け持つ周辺機器を起動するためのＧＵＩ（Graphical User Interface）に関する。
【背景技術】
【０００２】
従来、周辺機器が受け持つ処理系列を起動するためにユーザに要求される操作を軽減するＧＵＩとして、プリンターに対応するアイコンの表示領域においてファイルがドロップされると、ドロップされたファイルを処理対象としてプリンターを起動するＧＵＩが知られている（例えば特許文献１参照）。従来知られているこのＧＵＩにおいて、１つのアイコンの表示領域におけるドロップの発生によって起動される処理系列は１つに限られている。
【先行技術文献】
【特許文献】
【０００３】
【特許文献１】特開２００１−３３７７６５号公報
【発明の開示】
【発明が解決しようとする課題】
【０００４】
しかし、印刷、ファクシミリ送信、リムーバブルメディアへのファイルコピーなど複数の処理系列を受け持つ周辺機器には上記ＧＵＩをそのまま適用することができない。
【０００５】
本発明は、複数の処理系列を受け持つ周辺機器の特定の処理系列を起動するためにユーザに要求される操作を軽減することを目的の１つとする。
【課題を解決するための手段】
【０００６】
（１）上記目的を達成するための周辺機器起動プログラムは、複数の処理系列を受け持つ予め決められた周辺機器に対応するアイコンを表示するアイコン表示手段と、前記アイコンが表示される領域を終点とするファイルのドラッグが発生すると、前記複数の処理系列のメニューを表示するメニュー表示手段と、前記ファイルを処理対象として、選択された前記複数の処理系列の１つ以上を起動する起動手段と、してコンピュータを機能させる。
本発明によると、ユーザはアイコンが表示された領域を終点としてファイルをドラッグするとともにそのアイコンに対応づけられた周辺機器が受け持つ複数の処理系列の１つ以上をメニューから選択するだけで特定の処理系列を起動できる。したがって本発明によると、複数の処理系列を受け持つ周辺機器の特定の処理系列を起動するためにユーザに要求される操作を軽減することができる。
【０００７】
（２）上記目的を達成するための周辺機器起動プログラムにおいて、前記起動手段は、前記メニューが表示される領域において前記ファイルのドロップが発生すると、ドロップされた前記ファイルを処理対象として、ドロップ位置に表示された前記複数の処理系列の１つを起動してもよい。
これにより、ユーザはファイルをドラッグしてドロップするだけで特定の処理系列を起動できる。したがって本発明によると、複数の処理系列を受け持つ周辺機器の特定の処理系列を起動するためにユーザに要求される操作をさらに軽減することができる。
【０００８】
（３）上記目的を達成するための周辺機器起動プログラムにおいて、前記メニューは、前記複数の処理系列のそれぞれに対応する互いに異なる複数の部分が前記複数の処理系列のそれぞれを選択するための標識として機能する前記周辺機器の外観図形であってもよい。
これにより、識字能力が低いユーザにとっても扱いやすいＧＵＩを実現できる。
【０００９】
なお、本発明は周辺機器起動プログラムの記録媒体としても、周辺機器起動方法としても、周辺機器起動装置としても成立する。むろん、その記録媒体は、磁気記録媒体であってもよいし光磁気記録媒体であってもよいし、今後開発されるいかなる記録媒体であってもよい。
【図面の簡単な説明】
【００１０】
【図１】本発明の実施形態にかかるブロック図。
【図２】図２Ａおよび図２Ｂは本発明の実施形態にかかる画面図。
【図３】図３Ａは本発明の実施形態にかかるメニューを示す図。図３Ｂおよび図３Ｃは画面図。
【図４】図４Ａおよび図４Ｂは本発明の実施形態にかかる画面図。
【図５】本発明の実施形態にかかるフローチャート。
【発明を実施するための最良の形態】
【００１１】
以下、本発明の実施形態を添付図面を参照しながら説明する。各図において対応する構成要素には同一の符号が付され、重複する説明は省略される。
１．周辺機器起動プログラムの構成
図１および図２は本発明による周辺機器起動プログラムの一実施形態としての起動プログラムと起動プログラムを実行するＰＣ（Personal Computer）１と周辺機器としてのコピー機２とを示すブロック図である。
【００１２】
コピー機２は、スキャナー２２とプリンター２３とリムーバブルメモリコントローラ２４と通信部２５と、これらを制御するための制御部２１とを備えている。スキャナー２２は原稿媒体からラスター画像を読み取るためのフラットベッド型イメージスキャナーである。ＰＣによって制御されている状態のスキャナー２２は読み取ったラスター画像をＰＣ１に送信する。プリンター２３は印刷媒体にインクを吹き付けることにより画像を形成するインクジェットプリンターである。プリンター２３によって印刷される対象はＰＣ１から受信する印刷制御データとリムーバブルメモリ３に記憶されているラスター画像ファイルとスキャナー２２が読み取ったラスター画像である。リムーバブルメモリコントローラ２４はリムーバブルメモリコントローラ２４に接続されるリムーバブルメモリ３にＰＣ１から受け取るデータファイルを書き込み、プリンター２３によって印刷されるラスター画像ファイルをリムーバブルメモリ３から読み取るための電子回路である。通信部２５はＰＣ１に記憶されている文書を宛先番号に接続されているファクシミリに送信するための電子回路である。通信部２５によって送信される対象は、ＰＣ１から受信する送信データとスキャナー２２が読み取ったラスター画像である。制御部２１は、図示しないＲＡＭ，ＣＰＵ，ＲＯＭおよび入出力機構を備えるマイクロコンピュータである。スキャナー２２、プリンター２３、リムーバブルメモリコントローラ２４および通信部２５は制御部２１の入出力機構に接続される。制御部２１はＰＣ１から受信する制御信号に基づいてスキャナー２２、プリンター２３、リムーバブルメモリコントローラ２４および通信部２５を制御する。
【００１３】
ＰＣ１はＲＡＭ１１、ＣＰＵ１２、ＲＯＭ１３、入出力機構（Ｉ／Ｏ）１５およびハードディスク装置（ＨＤＤ）１４、ディスプレイ１６、キーボード１７、マウス１８を備えている。入出力機構（Ｉ／Ｏ）１５にはコピー機２等の周辺機器を接続可能である。ＰＣ１のハードディスク装置１４には、オペレーティングシステム（Operating System）Ｐ３、アプリケーションプログラムＰ３、起動プログラムＰ１、読取制御プログラムＰ２１、印刷制御プログラムＰ２２、ファイルコピー制御プログラムＰ２３、ファクシミリ制御プログラムＰ２４等の各種のコンピュータプログラムが記憶されている。これらのコンピュータプログラムがＲＡＭ１１にロードされ、ＣＰＵ１２によって実行されることによってＰＣ１において様々な機能が実現される。オペレーティングシステムＰ３は図２Ａに示すようにタスクバー５２および背景５４を含むデスクトップをディスプレイ１６の画面に表示する機能を実現する。起動プログラムＰ１、読取制御プログラムＰ２１、印刷制御プログラムＰ２２、ファイルコピー制御プログラムＰ２３およびファクシミリ制御プログラムＰ２４はコピー機２を制御するためのコピー機制御プログラム群を構成している。
【００１４】
読取制御プログラムＰ２１は、スキャナー２２に制御信号を送信することによってスキャナー２２に原稿媒体からラスター画像を読み取らせ、スキャナー２２によって読み取られたラスター画像をＲＡＭ１１に格納する機能を実現する。印刷制御プログラムＰ２２は、オペレーティングシステムＰ２と協働することによって対象ファイルからラスター画像を生成し、ラスター画像を印刷制御データに変換し、印刷制御データをコピー機２に送信し、コピー機において対象ファイルを印刷させる機能を実現する。すなわち印刷制御プログラムＰ２２はコピー機２が受け持つ印刷処理系列を制御するためのプログラムである。ファイルコピー制御プログラムＰ２３は対象ファイルをコピー機２に送信し、コピー機２においてリムーバブルメモリ３に対象ファイルを書き込ませる機能を実現する。すなわちファイルコピー制御プログラムＰ２３はコピー機２が受け持つファイルコピー処理系列を制御するためのプログラムである。ファクシミリ制御プログラムＰ２４は、オペレーティングシステムＰ２と協働することによって対象ファイルからラスター画像を生成し、ラスター画像を送信データに変換し、送信データをコピー機２に送信し、コピー機２から宛先番号のファクシミリに送信データを送信させる機能を実現する。すなわちファクシミリ制御プログラムＰ２４はコピー機２が受け持つファックス処理系列を制御するためのプログラムである。
【００１５】
起動プログラムＰ１はコピー機２が受け持つこれらの処理系列を起動するためのプログラムである。起動プログラムＰ１はオペレーティングシステムＰ３とともに起動する所謂常駐プログラムである。起動プログラムＰ１は、アイコンリソースファイルＰ１１等の各種のリソースファイルとメニュー表示モジュールＰ１２、起動モジュールＰ１３等のプログラムモジュール群とを含む。
【００１６】
アイコンリソースファイルＰ１１は、起動プログラムＰ１が図２Ａに示すようにアイコン５３を表示するためのビットマップデータである。アイコン５３は、コピー機２の外観や機能を想起させる図形として構成される。アイコン５３は、起動プログラムＰ１が常駐プログラムとしてインストールされると、アイコンリソースファイルＰ１１に基づいてデスクトップを構成しているタスクバー５２の上に表示される。すなわち、アイコンリソースファイルＰ１１は、ＰＣ１をアイコン表示手段として機能させる。
【００１７】
メニュー表示モジュールＰ１２は、図２Ｂに示すようにアイコン５３が表示される領域を終点とするファイルのドラッグが発生すると、図３Ａに示すようにコピー機２が受け持つ複数の処理系列のメニュー５５を表示する機能を実現する。ディスプレイ１６の画面にはアイコン５０がドラッグされていることを示す図形５０ａがドラッグ終点の近傍に表示される。具体的には、メニュー表示モジュールＰ１２は、特定のファイルへのショートカットであるアイコン５０を始点とし、コピー機２に対応するアイコン５３を終点とするドラッグが発生すると、コピー機２が受け持つ処理系列のうちＰＣ１に記憶されている文書を対象とする処理系列である印刷処理系列とファイルコピー処理系列とファックス処理系列とを選択肢としてユーザに提示するとともにユーザによるいずれかの処理系列の選択を受け付けるためのメニュー５５を表示する機能を実現する。
【００１８】
メニュー５５は図３Ａに示すようにコピー機２の外観図形を構成している。具体的には、コピー機２の本体の外形を示す矩形５５ｃと本体に形成されている排紙スロットを示す矩形５５ｄと印刷媒体を示す矩形５５ｅと本体に形成されているメモリスロットを示す矩形５５ｂと本体に揺動可能に結合されスキャナー２２によって読み取られる原稿媒体を覆うカバーを示す矩形５５ａとがメニュー５５に配置される。メニュー５５の表示領域は上部のファックス領域５５１と中間部のファイルコピー領域５５２と下部の印刷領域５５３とに区分されている。
【００１９】
メニュー５５はメニュー表示モジュールＰ１２が含む３つのメニューリソースに基づいて表示される。メニューリソースの１つは、図３Ｂに示すようにドラッグの終点が印刷領域５５３に位置しているときに、印刷処理系列を想起させる印刷媒体５５ｅが強調されたメニュー５６を表示するためのビットマップデータである。メニューリソースの他の１つは、図３Ｃに示すようにドラッグの終点がファイルコピー領域５５２に位置しているときに、ファイルコピー処理系列を想起させるメモリスロット５５ｂが強調されたメニュー５７を表示するためのビットマップデータである。メニューリソースの残りの１つは、図４Ａに示すようにドラッグの終点がファックス領域５５１に位置しているときに、ファックス処理系列を想起させるカバー５５ａが強調されたメニュー５８を表示するためのビットマップデータである。このように文字を使わずにコピー機２が受け持つ複数の処理系列をコピー機２の外観の一部を標識として表すことにより識字能力が低いユーザにとっても扱いやすいＧＵＩを実現できる。
【００２０】
起動モジュールＰ１３は、メニュー５６、５７、５８が表示される領域においてファイルのドロップが発生すると、ドロップされたファイルを処理対象として、選択された複数の処理系列の１つを起動する機能を実現する。すなわち、印刷領域５５３においてファイルのドロップが発生すると印刷処理系列を起動し、ファイルコピー領域５５２においてファイルのドロップが発生するとファイルコピー処理系列を起動し、ファックス領域５５１においてファイルのドロップが発生するとファックス処理系列を起動する機能を起動モジュールＰ１３は実現する。
ＰＣ１は、このような起動プログラムＰ１を実行することにより周辺機器起動装置として機能する。
【００２１】
２．周辺機器起動処理
図５は、周辺機器制御処理を示すフローチャートである。図５に示す処理のうち、Ｓ１０からＳ１５の処理は起動プログラムＰ１のメニュー表示モジュールＰ１２によって制御され、その他の処理は起動モジュールＰ１３によって制御される。
【００２２】
はじめに、ドラッグの終点がコピー機２に対応するアイコン５３の表示領域内にあるかが判定される（Ｓ１０）。ドラッグの終点がコピー機２に対応するアイコン５３の表示領域内に入るまで、この判定が繰り返される。具体的にはドラッグの終点を微小時間間隔（例えば１０ミリ秒間隔）でオペレーティングシステムＰ３にメニュー表示モジュールＰ１２が問い合わせ、オペレーティングシステムＰ３からの戻り値に基づいてドラッグの終点がコピー機２に対応するアイコン５３の表示領域内にあるかが判定される。
【００２３】
ドラッグの終点がコピー機２に対応するアイコン５３の表示領域内にある場合、メニュー５６、５７、５８のいずれかがディスプレイ１６の画面に表示される（Ｓ１１）。すなわち、ドラッグの終点が図３Ｂに示すように印刷領域５５３に位置しているときには印刷媒体５５ｅが印刷処理系列の標識として強調されたメニュー５６が画面に表示される。またドラッグの終点が図３Ｃに示すようにファイルコピー領域５５２に位置しているときにはメモリスロット５５ｂがファイルコピー処理系列の標識として強調されたメニュー５７が画面に表示される。またドラッグの終点が図４Ａに示すようにファックス領域５５１に位置しているときにはカバー５５ａがファックス処理系列の標識として強調されたメニュー５７が画面に表示される。
【００２４】
次に印刷領域５５３内にファイルがドロップされたかが判定される（Ｓ１２）。具体的にはオペレーティングシステムＰ３にメニュー表示モジュールＰ１２がドロップ位置を問い合わせ、オペレーティングシステムＰ３の戻り値に基づいて、ファイルのショートカットであるアイコン５０が印刷領域５５３内にドロップされたかが判定される。
【００２５】
印刷領域５５３内にファイルがドロップされていない場合、ファイルコピー領域５５２内にファイルがドロップされたかが判定される（Ｓ１３）。具体的にはオペレーティングシステムＰ３にメニュー表示モジュールＰ１２がドロップ位置を問い合わせ、オペレーティングシステムＰ３の戻り値に基づいて、アイコン５０がファイルコピー領域５５２内にドロップされたかが判定される。
【００２６】
ファイルコピー領域５５２内にファイルがドロップされていない場合、ファックス領域５５１内にファイルがドロップされたかが判定される（Ｓ１４）。具体的にはオペレーティングシステムＰ３にメニュー表示モジュールＰ１２がドロップ位置を問い合わせ、オペレーティングシステムＰ３の戻り値に基づいて、アイコン５０がファックス領域５５１内にドロップされたかが判定される。
【００２７】
ファックス領域５５１内にファイルがドロップされていない場合、ドラッグ終点がメニュー表示領域内にあるかが判定される（Ｓ１５）。具体的にはオペレーティングシステムＰ３にメニュー表示モジュールＰ１２がドラッグの終点を問い合わせ、オペレーティングシステムＰ３の戻り値に基づいて、ドラッグの終点が印刷領域５５３、ファイルコピー領域５５２、ファックス領域５５１のいずれかに位置しているかが判定される。ドラッグの終点がメニュー表示領域内にない場合、Ｓ１０から上述の処理が繰り返される。ドラッグの終点がメニュー表示領域内にある場合、Ｓ１１から上述の処理が繰り返される。
【００２８】
印刷領域５５３内にファイルがドロップされた場合、ドロップされたファイルのパスが取得される（Ｓ２０）。具体的には、ドロップされたアイコン５０のリンク先ファイルのパスをオペレーティングシステムＰ３に起動モジュールＰ１３が問い合わせて取得する。
【００２９】
次にドロップされたファイルが印刷可能であるかが判定される（Ｓ２１）。具体的には、ドロップされたファイルがアプリケーションプログラムＰ３を起動することなく印刷制御データに変換できるフォーマット（ビットマップデータフォーマットなど）であるかがファイルの拡張子に基づいて判定される。ドロップされたファイルが印刷可能でない場合、Ｓ１０から上述の処理が繰り返される。
【００３０】
ドロップされたファイルが印刷可能である場合、ドロップされたファイルを対象とする印刷処理系列が起動される（Ｓ２２）。具体的には、ドロップされたファイルが印刷対象ファイルとして印刷制御プログラムＰ２２に継承され、印刷部数等の印刷条件が予め決められた値に設定され、印刷制御プログラムＰ２２に対して印刷開始が要求される。その結果、ドロップされたファイルの印刷が印刷制御プログラムＰ２２の制御によって実行される。
【００３１】
ファイルコピー領域５５２内にファイルがドロップされた場合も同様に、ドロップされたファイルのパスが取得される（Ｓ３０）。
【００３２】
次にドロップされたファイルのリムーバブルメモリ３へのコピー処理系列が起動される（Ｓ３１）。具体的には、ドロップされたファイルがコピー対象ファイルとしてファイルコピー制御プログラムＰ２３に継承され、コピー先フォルダ、ファイル名等のコピー条件が予め決められた値に設定され、コピー制御プログラムＰ２３に対してコピー開始が要求される。その結果、ドロップされたファイルのリムーバブルメモリ３へのコピーがコピー制御プログラムＰ２３の制御によって実行される。
【００３３】
ファックス領域５５１内にファイルがドロップされた場合も同様に、ドロップされたファイルのパスが取得される（Ｓ４０）。
【００３４】
次にドロップされたファイルがファックス可能であるかが判定される（Ｓ４１）。具体的には、ドロップされたファイルがアプリケーションプログラムＰ３を起動することなく送信データに変換できるフォーマット（ビットマップデータフォーマットなど）であるかがファイルの拡張子に基づいて判定される。ドロップされたファイルがファックス可能でない場合、Ｓ１０から上述の処理が繰り返される。
【００３５】
ドロップされたファイルがファックス可能である場合、ドロップされたファイルを対象とするファックス処理系列が起動される（Ｓ４２）。具体的には、ドロップされたファイルが送信対象ファイルとしてファクシミリ制御プログラムＰ２４に継承され、ファクシミリ制御プログラムＰ２４に対して送信開始が要求される。その結果、ドロップされたファイルのファックス送信がファクシミリ制御プログラムＰ２４の制御によって実行される。ファクシミリ制御プログラムＰ２４は、図４Ｂに示すように宛先番号をユーザに入力させるためのダイアログウィンドウ５９をディスプレイ１６の画面に表示する。ダイアログウィンドウ５９には宛先番号の入力を受け付けるためのテキストボックス５９ａ、ファックス送信開始指示を受け付けるための開始ボタン５９ｂ、取消指示を受け付けるための取消ボタン５９ｃ等のウィジェットが配置される。開始ボタン５９ｂがクリックされると、ドロップされたファイルがＲＡＭ１１にロードされ、ロードされたファイルから送信データが生成され、宛先番号に接続されたファクシミリに送信データがコピー機２から送信される。
【００３６】
以上説明した本発明の実施形態によると、ユーザはアイコン５３が表示された領域を終点としてファイルをドラッグするとともに、ファイルを印刷領域５５３、ファイルコピー領域５５２、ファックス領域５５１のいずれかにドロップすることによりコピー機２が受け持つ複数の処理系列の１つを起動できる。したがって本発明の実施形態によると、複数の処理系列を受け持つコピー機２の特定の処理系列を起動するためにユーザに要求される操作を軽減することができる。
【００３７】
３．他の実施形態
尚、本発明の技術的範囲は、上述した実施の形態に限定されるものではなく、本発明の要旨を逸脱しない範囲内において種々変更を加え得ることは勿論である。
【００３８】
例えばコピー機２に対応するアイコンをサイドバーなどデスクトップのタスクバー以外の領域に配置しても良い。またアプリケーションプログラムによって表示されるウィンドウの領域にコピー機２に対応するアイコンを配置しても良い。また、起動プログラムＰ１は所謂常駐プログラムでなくても良い。常駐プログラムでない場合には、コピー機２に対応するアイコンは起動プログラムＰ１を起動するためのショートカットアイコンとしてデスクトップの背景５４上に配置される。そして、そのショートカットアイコンにファイルがドロップされたときに周辺機器起動処理を起動すればよい。
【００３９】
また例えば、ドラッグやドロップを操作するためにマウス１８以外のどのようなポインティングデバイスを用いても良い。
【００４０】
また例えば、対象ファイルとしてドラッグされるファイルは、アプリケーションプログラムＰ３によってディスプレイ１６の画面に表示されていても良い。具体的には、写真画像データを管理するアプリケーションプログラムＰ３によってサムネイルがディスプレイ１６の画面に表示されている場合に、そのサムネイルを始点としアイコン５３を終点とするドラッグが発生したときにメニュー５５をディスプレイ１６の画面に表示しても良い。
【００４１】
また例えば、印刷条件を予め決められた値に設定する代わりに、ユーザによる印刷条件の設定操作を受け付けるダイアログウィンドウを表示してもよい。また例えば、ファイルのコピー条件を予め決められた値に設定する代わりに、ユーザによるコピー条件の設定操作を受け付けるダイアログウィンドウを表示しても良い。
【００４２】
また例えば、アイコン５３を終点とするドラッグが発生した場合に、メニュー５５を表示する代わりに、印刷処理系列、ファイルコピー処理系列、ファックス処理系列を示す文字列を選択肢として表示するメニューをディスプレイ１６の画面に表示しても良い。
【００４３】
またこれまでアイコン５３を終点とするドラッグの発生によって表示されるメニューからは、起動対象の処理系列として１つの選択肢だけが選択される例について説明してきたが、複数の選択肢を同時に選択することを可能とし、複数の処理系列を同時に起動してもよい。例えば、メニュー５５のファックス領域５５１、ファイルコピー領域５５２、印刷領域５５３のうち、ドラッグの軌跡が通る領域を全て選択されたものとみなしてもよい。具体的には、ドラッグの軌跡がファックス領域５５１、ファイルコピー領域５５２、印刷領域５５３を順に通り、ファックス領域５５１、ファイルコピー領域５５２、印刷領域５５３のいずれかにアイコン５０がドロップされた場合、アイコン５０に対応するファイルを処理対象として、リムーバブルメモリ３にコピーする処理系列と、印刷する処理系列と、ファックス送信する処理系列をそれぞれ起動しても良い。また、ドラッグの軌跡が通過したことによって選択された処理系列の選択状態をドラッグ軌跡の再通過によって解除できるようにしてもよい。例えば、アイコン５０のドラッグの軌跡がファックス領域５５１、ファイルコピー領域５５２、印刷領域５５３を順に通過してアイコン５３の表示領域の外側に至り、再びファックス領域５５１を通過してから再びアイコン５３の表示領域の外側に至り、最後にファイルコピー領域５５２においてアイコン５０がドロップされたとする。この場合には、２回ドラッグの軌跡が通過したファックス領域５５１に対応するファックス処理系列は選択されなかったとみなし、ファイルコピー領域５５２に対応するファイルコピー処理系列と印刷領域５５３に対応する印刷処理系列を起動する。そして、各領域の選択状態は、印刷媒体５５ｅ、カバー５５ａ、メモリスロット５５ｂの１つ以上を強調表示することによってユーザに報知すればよい。
【００４４】
またこれまで周辺機器としてコピー機を例示して本発明を説明してきたが、印刷処理系列とファイルコピー処理系列のみを受け持つプリンター等、２以上の処理系列を受け持つ周辺機器であればどのような周辺機器であっても本発明を適用できることはもちろんである。
【符号の説明】
【００４５】
１：ＰＣ、２：コピー機、３：リムーバブルメモリ、１１：ＲＡＭ、１２：ＣＰＵ、１３：ＲＯＭ、１４：ハードディスク装置、１６：ディスプレイ、１７：キーボード、１８：マウス、２１：制御部、２２：スキャナー、２３：プリンター、２４：リムーバブルメモリコントローラ、２５：通信部、５０：アイコン、５２：タスクバー、５３：アイコン、５４：背景、５５：メニュー、５５ａ：カバー、５５ｂ：メモリスロット、５５ｅ：印刷媒体、５６：メニュー、５７：メニュー、５８：メニュー、５９：ダイアログウィンドウ、５９ａ：テキストボックス、５９ｂ：開始ボタン、５９ｃ：取消ボタン、５５１：ファックス領域、５５２：ファイルコピー領域、５５３：印刷領域、Ｐ１：起動プログラム、Ｐ１１：アイコンリソースファイル、Ｐ１２：メニュー表示モジュール、Ｐ１３：起動モジュール、Ｐ２：アプリケーションプログラム、Ｐ２１：読取制御プログラム、Ｐ２２：印刷制御プログラム、Ｐ２３：コピー制御プログラム、Ｐ２３：ファイルコピー制御プログラム、Ｐ２４：ファクシミリ制御プログラム、Ｐ３：オペレーティングシステム
【図１】
2010244099.tif 000003
【図２】
2010244099.tif 000004
【図３】
2010244099.tif 000005
【図４】
2010244099.tif 000006
【図５】
2010244099.tif 000007